(57)【要約】【課題】複数のネットワークに跨る付加情報の取得状況を適切に表示できるようにする。【解決手段】複数のネットワーク毎に、周期性を持って伝送される付加情報の周期を検出して、取得したい全ての付加情報を取得するに必要な時間を特定し、その時間所定間隔で区切って、間隔毎に前記取得したい全ての付加情報に対する取得比率を出力する時間カウンタ２６を備える。また、各ネットーワーク毎に周期情報の取得状況を出力するネットワーク数カウンタ２５を備え、各ネットワーク毎に情報の取得が完了したタイミングで時間カウンタ２６の値を修正するように構成した。【選択図】      図１
2005051311.tif 000002
【特許請求の範囲】
【請求項１】
複数の異なるネットワークを含み当該ネットワーク毎に周期性を有する異なる内容の付加情報が多重されて伝送される放送信号から所定の複数のネットワークを特定して受信する受信手段と、
前記受信信号から前記付加情報を分離する付加情報分離手段と、
この付加情報分離手段で分離された付加情報に含まれる当該付加情報の周期情報に基づき、前記所定の複数のネットワークの前記付加情報を取得するに必要な時間を特定する時間設定手段と、
前記分離された付加情報を蓄積する蓄積手段と、
前記時間設定手段によって設定された時間と前記蓄積手段への蓄積実行時間から、前記蓄積手段への付加情報の蓄積状況の比率を算出する算出手段と、
この算出手段で算出された値を表示する表示手段と、
を具備したことを特徴とする付加情報取得装置。
【請求項２】
複数の異なるネットワークを含み当該ネットワーク毎に周期性を有する異なる内容の付加情報が多重されて伝送される放送信号から所定の複数のネットワークを特定して受信する受信手段と、
前記受信信号から前記付加情報を分離する付加情報分離手段と、
この付加情報分離手段で分離された付加情報に含まれる当該付加情報の周期情報に基づき、前記所定の複数のネットワークの前記付加情報を取得するに必要な時間を特定する時間設定手段と、
前記分離された付加情報を蓄積する蓄積手段と、
前記時間設定手段によって設定された時間と前記蓄積手段への蓄積実行時間から、前記蓄積手段への付加情報の蓄積状況の比率を算出する算出手段と、
この算出手段で算出された値を表示する表示手段と、
前記複数のネットワーク毎に前記付加情報の前記蓄積手段への蓄積が完了したか否か判定する判定手段と、
この判定手段による判定結果に基づいて、前記算出手段の算出結果を修正する修正手段と、
を具備したことを特徴とする付加情報取得装置。
【請求項３】
複数の異なるネットワークを含み当該ネットワーク毎に周期性を有する異なる内容の付加情報が多重されて伝送される放送信号から所定の複数のネットワークを特定して受信する受信手段と、
前記受信信号から前記付加情報を分離する付加情報分離手段と、
この付加情報分離手段で分離された付加情報に含まれる当該付加情報の周期情報に基づき、前記所定の複数のネットワークの前記付加情報を取得するに必要な時間を特定する時間設定手段と、
前記分離された付加情報を蓄積する蓄積手段と、
前記時間設定手段によって設定された時間を所定時間間隔で区分し、区分した時間間隔毎の前記設定された時間に対する比率を順次出力するカウンタと、
このカウンタの出力を表示する表示手段と、
前記複数のネットワーク毎に前記付加情報の前記蓄積手段への蓄積が完了したか否か判定する判定手段と、
この判定手段による判定結果に基づいて、前記カウンタの値を修正する修正手段と、
を具備したことを特徴とする付加情報取得装置。
【請求項４】
前記時間設定手段は、前記周期性を有する付加情報のうち最も長い周期に基づいて前記付加情報を取得するに必要な時間を特定するものであることを特徴とする請求項１乃至３のいずれかに記載の付加情報取得装置。
【請求項５】
前記判定手段は、前記複数のネットワーク数に対する蓄積手段への蓄積完了ネットワーク数の割合を出力する第２のカウンタを備えていることを特徴とする請求項１乃至４のいずれかに記載の付加情報取得装置。
【請求項６】
複数の異なるネットワークを含み当該ネットワーク毎に周期性を有する異なる内容の付加情報が多重されて伝送される放送信号から所定の複数のネットワークを特定して受信するステップと、
前記受信信号から前記付加情報を分離するステップと、
前記分離された付加情報に含まれる当該付加情報の周期情報に基づき、前記所定の複数のネットワークの前記付加情報を取得するに必要な時間を特定するステップと、
前記分離された付加情報を蓄積するステップと、
前記時間設定手段によって設定された時間と前記蓄積手段への蓄積実行時間から、前記蓄積手段への付加情報の蓄積状況の比率を算出するステップと、
算出された値を表示するステップと、
を具備したことを特徴とする付加情報取得方法。
【発明の詳細な説明】
【０００１】
【発明の属する技術分野】
この発明は、番組を構成する映像及び音声データとは別に番組に関連する情報等を含む付加情報が多重伝送されるデジタル放送を受信する受信機に適用される付加情報を抽出するための付加情報取得装置及び付加情報取得方法に関し、特にデータカルーセル方式で伝送される付加情報を効率的に取得する装置及び方法に関する。
【０００２】
【従来の技術】
現在、デジタル信号によって送受信を行うデジタル放送が実用化されている。この放送においては、動画像符号化標準方式であるＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）２方式が採用され、高能率圧縮符号化された複数チャンネルの符号化画像データを多重して伝送する多チャンネルのデジタル伝送システムが用いられている。このＭＰＥＧ２方式を用いたシステムについては、「ＩＳＯ／ＩＥＣ  １３８１８−１」の文献などに記載されている。
【０００３】
放送局側では、番組を構成するデジタル映像・音声データ及び付加情報データを上述した圧縮方式によりそれぞれ圧縮処理を施し、ＴＳ（トランスポートストリーム）という形式の多重信号を生成して放送する。
さらに、この多重信号に加え、番組情報データとして番組に関する記述が記載されているＰＭＴ（Ｐｒｏｇｒａｍ  Ｍａｐ  Ｔａｂｌｅ）、各番組のＰＭＴを抽出するＰＡＴ（Ｐｒｏｇｒａｍ  Ａｓｓｏｃｉａｔｉｏｎ  Ｔａｂｌｅ）、有料放送に関連した情報が記載されているＣＡＴ（Ｃｏｎｄｉｔｉｏｎａｌ  Ａｃｃｅｓｓ  Ｔａｂｌｅ）及び使用しているネットワークに関する情報が記載されているＮＩＴ（Ｎｅｔ  Ｗｏｒｋ  Ｉｎｆｏｒｍａｔｉｏｎ  Ｔａｂｌｅ）等のデータも時分割多重される。
【０００４】
さらに、番組情報データには、編成チャンネルに関する情報が記載されているＳＤＴ（Ｓｅｒｖｉｃｅ  Ｄｅｓｃｒｉｐｔｉｏｎ  Ｔａｂｌｅ）、番組名称、放送日時、番組内容説明など番組に関連する情報が記載されているＥＩＴ（Ｅｖｅｎｔ  Ｉｎｆｏｒｍａｔｉｏｎ  Ｔａｂｌｅ）等のデータも含まれ同様に時分割多重される。
【０００５】
ＰＡＴ、ＰＭＴ、ＮＩＴ、ＣＡＴは、番組特定情報（ＰＳＩ：Ｐｒｏｇｒａｍ  Ｓｐｅｃｉｆｉｃ  Ｉｎｆｏｒｍａｔｉｏｎ）と呼ばれ、ＳＤＴ、ＥＩＴ等は、番組配列情報（ＳＩ：Ｓｅｒｖｉｃｅ  Ｉｎｆｏｒｍａｔｉｏｎ）と呼ばれている。ＰＳＩ、ＳＩに含まれる情報は、例えばＥＰＧ（Ｅｌｅｃｔｒｉｃ  Ｐｒｏｇｒａｍ  Ｇｕｉｄｅ）の番組表を構築するために利用される。
【０００６】
また、複数のＴＳを多重化した集合として伝送する伝送形態が規定されており、異なる放送局からのＴＳを多重化して１つのネットワークとして規定し、ネットワーク識別値と共に伝送する方式が採用されている。
ＳＩには、ネットワーク内で放送を行っている全ての放送局の番組情報をネットワーク内の全ＴＳで一斉に送信する全局ＳＩと、自局の放送予定番組に関する情報のみを自局のＴＳ内のみで送信する各局ＳＩがある。全局ＳＩは、ネットワークごとに送出される。
【０００７】
全局ＳＩで伝送される情報は、情報量に制限があるため最小限に限られいるが、受信機ではこの全局ＳＩにより、受信していないチャンネルの番組情報に関しても、同一ネットワーク内であるならば取得することができる。
ＥＩＴは、周期的に再送信されている。周期は変更される場合があり、最小、最大の範囲が規定されている。最低で１周期の時間にわたり所望のＴＳで送出されている番組のチャンネルを連続受信し全局ＳＩとしてのＥＩＴを取得することにより、そのチャンネルが存在するネットワーク内の番組情報の取得が可能になる。周期は情報の内容ごとに異なり非常に遅い場合もあるが、分単位になる情報もある。これらの信号形式に関しては、例えば、デジタル放送の運用規定として「ＡＲＩＢ  ＳＴＤ−Ｂ１５」や、「ＡＲＩＢ  ＳＴＤ−Ｂ１４」の文献などに記載されている。
【０００８】
すなわち、番組を構成する映像・音声データは、リアルタイムで順次更新されながら垂れ流し的に伝送されるものであるが、付加情報データの中にはＥＩＴのように周期的に伝送されるものがあり、このようなデータはある一定期間においては、いつでも同じ内容の情報をユーザに提供できるように繰り返し伝送される。すなわち、データカルーセル伝送方式で送られるものであり、テレビジョン受信機では、順次送られてくるデータを受信して蓄積し、全てのデータを受信してからそれを利用する。
【０００９】
データカルーセル伝送方式では、データが所定周期で繰返して伝送されるため、データの取得をいつ開始しても、周期に相当する一定の時間を経過すれば、必要な全てのデータを取得することが可能である。その一方で、データを利用するには、原則的には、全てのデータの受信が完了していることが条件となる。
【００１０】
ところで、デジタル放送の実用化によって多くの情報が送信できることに伴い番組の多チャンネル化が進み、番組情報を提示する番組表（ＥＰＧ）の機能や、番組の検索を行いその内容を提示することによりユーザが見たい番組を容易に選択することを可能にするジャンル検索機能等の有用性が高まっている。
【００１１】
番組表は、受信機に蓄積された情報から特定の時間帯に放送される予定の番組をチャンネル毎の一覧表として構築して表示するものである。ジャンル検索は、ユーザが番組のジャンル分類を指定することにより、そのジャンル分類に基づき、受信機に蓄積されている全番組情報データの中から該当する番組を絞り込み検索し、結果として得られた番組情報を表示する機能である。
【００１２】
しかしながら、上述した従来技術では、複数のネットワークが放送される形態において、全てのネットワーク、あるいはその中の所望の複数ネットワークに跨って番組情報の検索を行い、抽出条件に一致した番組内容の提示を行おうとした場合、受信していないＴＳを含んでいるネットワークの情報は取得できないため、各ネットワーク毎にその中の１つのＴＳを受信して送出される各局ＳＩとしてのＥＩＴ情報を取得するという作業を、選択対象としたい全てのネットワークについて実行しなければならない。
【００１３】
具体的には、まず１つのネットワークの中の代表チャンネルを選局し、そのネットワーク内のＥＩＴ情報を取得し全ての情報が蓄積できるまで、最低でもＥＩＴ送出周期の時間はチャンネルを固定し、取得が完了した後に次のネットワークの代表チャンネルを選局し、全てのＥＩＴ情報が蓄積されるまで選局し続けるという作業を、対象としたい全てのネットワークに関して行うことになる。
【００１４】
したがって、情報を取得したい範囲の全てのネットワークに関しての番組情報が得られるまでには、最大で、各ネットワークのＥＩＴ送出周期の合計時間分が必要であり、相当な時間がかかることになる。また、ＥＩＴの送出周期は変更される場合があり完了するまでの時間は特定できない。
【００１５】
この時、ユーザは長時間待たされることになり、取得の進行状況を知りたいという要望が想定される。しかしながら、修了までどのくらいの時間が必要になるのか、あるいは、現在取得済みの情報量が、取得が必要な全体の情報量に対しどのくらいの割合になっているのか判らないという問題点があった。
【００１６】
従来、デジタル放送受信機において、受信した楽曲等のデータをストレージ機器にダウロードする際に、ダウンロードの進行状況を報知するようにした提案が例えば特許文献１によってなされているが、しかしながら、複数のネットワークに跨る番組情報を取得する際の進行状況にまで言及しておらず、上記した従来の問題を解決するものではない。
【００１７】
【特許文献１】
特開２００２−３０３６６号公報
【００１８】
【発明が解決しようとする課題】
以上のように、従来、複数のネットワークに跨って番組情報を取得する際、取得の進行状況を適切にユーザに知らしめる提案がなされておらず、そのような機能を備えた装置の実用化が強く要望されることが予測されていた。
本発明は、以上の点に考慮してなされたものであり、情報を取得したい複数のネットワークの全体の情報量に対する取得済みの割合を提示し、終了までの進行状況の把握を可能にした付加情報取得装置及び付加情報取得方法を提供することを目的とする。
【００１９】
【課題を解決するための手段】
本発明の付加情報取得装置は、複数の異なるネットワークを含み当該ネットワーク毎に周期性を有する異なる内容の付加情報が多重されて伝送される放送信号から所定の複数のネットワークを特定して受信する受信手段と、前記受信信号から前記付加情報を分離する付加情報分離手段と、この付加情報分離手段で分離された付加情報に含まれる当該付加情報の周期情報に基づき、前記所定の複数のネットワークの前記付加情報を取得するに必要な時間を特定する時間設定手段と、前記分離された付加情報を蓄積する蓄積手段と、前記時間設定手段によって設定された時間と前記蓄積手段への蓄積実行時間から、前記蓄積手段への付加情報の蓄積状況の比率を算出する算出手段と、この算出手段で算出された値を表示する表示手段と、を具備したことを特徴とする。
【００２０】
本発明によれば、複数のネットワークに跨る付加情報であっても、取得状況を監視しつつ的確にかつ確実に取得することができるものである。
本発明の付加情報取得装置は、複数の異なるネットワークを含み当該ネットワーク毎に周期性を有する異なる内容の付加情報が多重されて伝送される放送信号から所定の複数のネットワークを特定して受信する受信手段と、前記受信信号から前記付加情報を分離する付加情報分離手段と、この付加情報分離手段で分離された付加情報に含まれる当該付加情報の周期情報に基づき、前記所定の複数のネットワークの前記付加情報を取得するに必要な時間を特定する時間設定手段と、前記分離された付加情報を蓄積する蓄積手段と、前記時間設定手段によって設定された時間と前記蓄積手段への蓄積実行時間から、前記蓄積手段への付加情報の蓄積状況の比率を算出する算出手段と、この算出手段で算出された値を表示する表示手段と、前記複数のネットワーク毎に前記付加情報の前記蓄積手段への蓄積が完了したか否か判定する判定手段と、この判定手段による判定結果に基づいて、前記算出手段の算出結果を修正する修正手段と、を具備したことを特徴とする。
【００２１】
本発明によれば、複数のネットワークに跨る付加情報であっても、取得状況を監視しつつ的確にかつ確実に取得することができるものである。
本発明の付加情報取得装置は、複数の異なるネットワークを含み当該ネットワーク毎に周期性を有する異なる内容の付加情報が多重されて伝送される放送信号から所定の複数のネットワークを特定して受信する受信手段と、前記受信信号から前記付加情報を分離する付加情報分離手段と、この付加情報分離手段で分離された付加情報に含まれる当該付加情報の周期情報に基づき、前記所定の複数のネットワークの前記付加情報を取得するに必要な時間を特定する時間設定手段と、前記分離された付加情報を蓄積する蓄積手段と、前記時間設定手段によって設定された時間を所定時間間隔で区分し、区分した時間間隔毎の前記設定された時間に対する比率を順次出力するカウンタと、このカウンタの出力を表示する表示手段と、前記複数のネットワーク毎に前記付加情報の前記蓄積手段への蓄積が完了したか否か判定する判定手段と、この判定手段による判定結果に基づいて、前記カウンタの値を修正する修正手段と、を具備したことを特徴とする。
【００２２】
本発明によれば、複数のネットワークに跨る付加情報であっても、取得状況を監視しつつ的確にかつ確実に取得することができるものである。
本発明の付加情報取得方法は、複数の異なるネットワークを含み当該ネットワーク毎に周期性を有する異なる内容の付加情報が多重されて伝送される放送信号から所定の複数のネットワークを特定して受信するステップと、前記受信信号から前記付加情報を分離するステップと、前記分離された付加情報に含まれる当該付加情報の周期情報に基づき、前記所定の複数のネットワークの前記付加情報を取得するに必要な時間を特定するステップと、前記分離された付加情報を蓄積するステップと、前記時間設定手段によって設定された時間と前記蓄積手段への蓄積実行時間から、前記蓄積手段への付加情報の蓄積状況の比率を算出するステップと、算出された値を表示するステップと、を具備したことを特徴とする。
【００２３】
本発明によれば、複数のネットワークに跨る付加情報であっても、取得状況を監視しつつ的確にかつ確実に取得することができるものである。
【００２４】
【発明の実施の形態】
以下、この発明の実施例を図面を参照しながら説明する。図１は、本発明の番組情報取得装置の一実施の形態を備えたテレビジョン受信機の回路構成図である。
図１において、テレビジョン受信機１０は、図示しないアンテナからの放送信号を受けるアンテナ入力端子１１を有している。アンテナ入力端子１１は、選局部１２に接続され、ここでユーザの所望するチャンネルの選局がなされる。選局部１２は、制御部１３からの選局信号を受けてチャンネル選局動作を実行するものであり、ユーザは、入力部１４を操作して受信チャンネルを特定するための信号を制御部１３に送る。
【００２５】
この目的のため、入力部１４は、複数の操作ボタンで構成されるかあるいは、図示しないリモートコントローラからのリモコン信号を受信する受信部として構成できる。また、制御部１３は、テレビジョン受信機１０全体の各部の動作設定、機能の調整等を行なう。
【００２６】
選局部１２で選局されたチャンネルの受信信号は、復調部１５に供給されて、ここで復調と誤り訂正等の処理が施され、復調部１５からＴＳ信号として出力される。復調部１５からのＴＳ信号は、ＴＳデコーダ１６において、多重された各データがパケット単位で分離される。
【００２７】
ＴＳ信号を構成するデータの内、番組を構成する映像データは、ＭＰＥＧ２デコーダ１７に供給されてＭＰＥＧ２の復号が実行され、非圧縮のデジタル信号としてグラフィック重畳部１８に供給される。
グラフィック重畳部１８では、ＭＰＥＧ２デコーダ１７の出力に対して後述する番組情報の取得状況を示す情報を重畳して出力する。グラフィック重畳部１８の出力は、映像信号処理部１９に供給されて、例えば、アナログ映像信号への変更と標準テレビジョン信号への変換処理が施され、表示部２８に供給されて表示される。
【００２８】
次に、本発明の付加情報取得装置の特徴的な回路構成部分について説明する。ＴＳ信号に含まれる番組情報は、制御部１３の制御の下、番組情報取得部２１によって取得され、番組情報蓄積部２２に順次蓄積される。すなわち、ユーザの入力部１４の操作によって、番組情報提示要求が制御部１３に与えられることで、制御部１３は、所定の要件を満たす番組情報を抽出するように番組情報取得部２１を制御し、取得された番組情報を番組情報蓄積部２２に順次蓄積させる。
【００２９】
さらに、番組情報蓄積部２２に蓄積された番組情報は、制御部１３の制御の下、絞込み抽出部２３で、選択抽出されて表示メモリ２４に移される。
制御部１３には、さらにネットワーク数カウンタ２５と時間カウンタ２６が接続されている。ネットワーク数カウンタ２５は、ユーザが番組情報を取得したいと希望する全てのネットワークの数に対して、番組情報の取得が完了したネットワークの数を表示用のカウント値に変換するカウンタとして構成される。
【００３０】
ネットワーク数カウンタ２５の表示用のカウント値は、制御部１３の制御の下に、番組情報を取得したいネットワークの数に基づく刻み幅で更新される。例えば、番組情報を取得したいネットワーク数が５つの場合、どのネットワークについても番組情報の取得が完了していない状態では、ネットワーク数カウンタ２５は初期状態の０％を示す。全てのネットワークの番組情報が取得完了した状態では、ネットワーク数カウンタ２５の計数値は５回更新されることになるが、その状態では表示用カウント値として１００％を表示するように動作する。すなわち、ネットワーク数カウンタ２５は、ネットワーク数が５の場合には、２０％刻みで更新されるように動作するものである。当然ながら、刻み幅は、ネットワーク数に応じたものとなる。
【００３１】
また、時間カウンタ２６は、番組情報を取得する（番組情報蓄積部２２への蓄積）処理を実行している期間の時間を計数するカウンタである。制御部１３は、ユーザからの番組情報の提示要求を入力すると同時に、計測開始の制御信号を時間カウンタ２６に送って計測開始の指示をする。時間カウンタ２６は、一定の時間毎に刻み幅分を足し上げて更新されるもので、刻み幅は全番組情報の取得完了の見込み時間から算出された値である。見込み時間はＥＩＴの送出周期の最大値から設定するもので、例えば、番組情報取得開始から完了までに要する見込み時間が１０分であった場合、時間カウンタ２６を１分間毎に計１０回更新するものと仮定する。それによって、時間カウンタ２６は、情報取得を開始した初期状態を０％から、全ての番組情報の取得を完了した時点の１００％まで、１分毎に１０％ずつ値を足し上げるように更新される。
【００３２】
以上のように構成されたテレビジョン受信機１０において、ユーザが番組情報を表示部２８で表示すべく、入力部１４を操作して表示要求を入力をした場合、制御部１３は、入力部１４からの要求信号に基づき、１つのネットワークの中で代表されるチャンネルを選局すべく、選局部１２に選局信号を出力する。
【００３３】
それによって、代表チャンネルが選局され、受信信号が復調部１５を介してＴＳデコーダ１６に導出される。ＴＳデコーダ１６によって分離抽出されデータの中から、ユーザが入力部１４を介して提示要求を行なった番組情報が、番組情報取得部２１で取得され、番組情報蓄積部２２に順次蓄積される。入力部１４から番組情報の提示要求が入力されるのと同時に、制御部１３は時計カウンタ２６を駆動し、計測を開始させる。
【００３４】
番組情報取得部２１は、１つのネットワークに関する情報取得が完了した際に、完了通知を制御部１３に通知する。完了通知は、番組情報１周期分のデータの取得が完了した時点で生成されるものであり、その周期は、送出側で設定されるＥＩＴの周期に影響され、最小値から最大値までの幅を持つ。
【００３５】
制御部１３は、この完了通知を元に、ネットワーク数カウンタ２５を刻み幅の単位で更新し、選局部１２に、次のネットワークを代表するチャンネルを選局させるべく選局信号を出力する。
以下同様にして、各ネットワークの番組情報を取得して、番組情報蓄積部２２に蓄積させる。
表示用カウンタ２７には、ネットワーク数カウンタ２５の値と時間カウンタ２６の値が供給され、それら値を結合して表示用の値を更新するように動作する。すなわち、時計カウンタ２６のカウント値が、ネットワーク数カウンタ２５の値によって補正されて、全てのネットワークの番組情報の取得が完了してネットワーク数カウンタ２５が１００％の値になることで、時計カウンタ２６がカウント値１００％に更新されるように制御される。例えば、ネットワーク数が２で、それらのＥＩＴが同じ周期であった場合、ネットワーク数が１である場合に比べて、時間カウンタ２５は、２倍の時間間隔で更新されることになる。
【００３６】
表示用カウンタ２７の値は、番組情報の取得進行状況を示すものとなり、それがグラフィック重畳部１８、映像信号処理部１９を介して表示部２０に供給されて表示される。
また、制御部１３は、番組情報の表示に関し、ユーザが入力部１４を介して設定した指定条件に基づく制御信号を絞込み抽出部２３に入力する。絞込み抽出部２３は、番組情報蓄積部２２に蓄積された番組情報から指定条件に一致する番組情報を抽出する。抽出された番組情報は、表示メモリ部２４に記憶され、表示情報として、グラフィック重畳部１８、映像信号処理部１９を介して表示部２０に供給されて表示される。
【００３７】
次に、具体的数値を用いて、本発明の一実施の形態について説明する。すなわち、番組情報を取得したいネットワーク数を２とし、ＥＩＴの周期を最大６分と仮定した場合について説明する。
番組情報１周期の時間が最大６分で、情報を取得したい範囲に含まれるネットワーク数が２個の場合、情報取得完了見込みは、最大１２分であり、１分ごとに進行状況を時間カウンタ２６で計測するとして、１分あたり全体の約８％の情報取得が完了すると見込まれる。そこで、時間カウンタ２６は、開始時を０％、完了時点を１００％として、１分ごとに８％の刻み幅で足し上げて更新するように構成する。
【００３８】
このときの、時間カウンタ２６のカウント値の推移を図２に示す。図２（ａ）は、時間の経過を示すものであり１分単位で１２分まで示されている。図２（ｂ）は、時計カウンタ２６から出力される値であり、情報取得進行状況を％で表示したものである。すなわち、８％から９６％まで、８％刻みで値が推移しており、時間カウンタ２６が１分単位の時間を８％単位の値に変換して出力するものである。
【００３９】
また、図３は、ネットワーク数カウンタ２５のカウント推移を示すもので、図３（ａ）はネットワーク数が２であることを示している。さらに、図３（ｂ）は、ネットワーク数に対する情報取得進行状況を％で示すもので、ネットワーク数が１なら、５０％の情報取得が完了し、２で１００％の情報取得が完了したことを示す。
【００４０】
以上の値を計算で求めると、終了見込み時間＝６分×２ネットワーク＝１２分で、１分ごとの進行割合＝１００÷１２分＝約８％（時間カウンタ刻み幅＝８％）となる。また、１ネットワーク完了ごとの進行割合＝１００÷２個＝５０％で、ネットワーク数カウンタ刻み幅＝５０％となる。
【００４１】
表示用カウンタの更新について、さらに説明すると、表示用カウンタ２７は、まず、時間カウンタ２６が更新される毎に表示用カウンタ２７の値を更新し、その後、ネットワーク数カウンタ２５が更新される毎にカウント値を補正する。
表示用カウンタの値の推移を図４に示す。図４（ａ）は１分間隔の経過時間を示し、図４（ｂ）は、情報取得進行状況を８％単位で表示する状態を示している。図４（ａ）に示すように６分と７分の間で１個目のネットワークの情報の取得が完了する。このタイミングが、図４（ｂ）に示すように、５０％の情報の取得が完了したタイミングである。
【００４２】
ここにおいて、６分経過時点の情報取得割合は、４８％であり、４８％から５０％へは、２％増加しただけであって、８％単位での更新という条件を満足しなくなる。しかしながら、実際は５０％の情報が取得された状態であり、表示用カウンタ２７は、ネットワーク数カウンタ２５のカウント値によって時間カウンタ２６の値を実状に合ったものに修正している。
【００４３】
次の７分〜１２分では、５０％から８％づつ増加させ、１２分経過後に２個目のネットワークの番組情報の取得が完了すると、表示用カウンタ２７の値を１００％に修正する。
以上のように、ネットワーク数カウンタ２５と時間カウンタ２６と表示用カウンタ２７を備え、図４に示すように、時間カウンタ２６の値をネットワーク数カウンタ２５の値によって修正することで、番組情報取得の対象とした全てのネットワークについて、番組情報取得状況を的確に分かり易く表示させることができるようになるものである。
【００４４】
次に、ネットワーク数が５で、ＥＩＴの１周期が最大３分である場合の例について説明する。すなわち、番組情報１周期の時間が最大３分で、情報を取得したいネットワーク数が５の場合、情報取得完了見込みは、最大１５分であり、１分ごとに進行状況を計測するとして、１分あたり、全体の約６％の情報取得が完了すると見込まれる。そこで、時間カウンタ２６は、開始時を０％、完了時点を１００％として、１分ごとに６％の刻み幅で足し上げて更新する。
【００４５】
それを数式で求めると、情報取得完了見込み時間＝３分×５個＝１５分で、１分ごとの進行割合＝１００÷１５分＝約６％であるから、時間カウンタ２６の刻み幅＝６％となる。また、１ネットワーク完了毎の進行割合＝１００÷５＝２０％であるから、ネットワーク数カウンタ２５の刻み幅＝２０％となる。
【００４６】
この場合の、時間カウンタ２６の値の推移を図５に示す。図５（ａ）は１分間隔の経過時間を示し、図５（ｂ）は、情報取得進行状況を６％単位で表示する状態を示している。すなわち、時間経過１分から１６分までが、６％から９６％として表示される。図５（ａ）に示すように６分と７分の間で１個目のネットワークの情報の取得が完了する。このタイミングが、図４（ｂ）に示すように、５０％の情報の取得が完了したタイミングである。
【００４７】
また、この場合のネットワーク数カウンタ２５の値の推移を図６に示す。図６（ａ）は、ネットワーク数を示し、図６（ｂ）は情報の取得状況を２０％刻みで表示する状態を示している。
図７は、図５及び図６に示す時間カウンタ２６とネットワーク数カウンタ２５の値に基づいて生成される表示用カウンタ２７の表示用の値の推移を示すものである。図７（ａ）は、経過時間を示し、図７（ｂ）は、情報取得進行状況を％で示している。
【００４８】
図７（ａ）において、経過時間の３分と４分の間、６分と７分の間、９分と１０分の間、１２分と１３分の間及び１５分経過後に、５個のネットワークについてそれぞれ番組情報取得完了状態が到来することが示されている。また、図７（ｂ）において、各ネットワークの番組情報取得完了タイミングで、情報取得進行状況が、２０％、４０％、６０％、８０％、１００％に修正されている。
【００４９】
この例においても、ネットワーク数カウンタ２５と時間カウンタ２６と表示用カウンタ２７を備え、図７に示すように、時間カウンタ２６の値をネットワーク数カウンタ２５の値によって修正することで、番組情報取得の対象とした全てのネットワークについて、番組情報取得状況を的確に分かり易く表示させることができるようになるものである
【００５０】
なお、時間カウンタ２６の計数の刻み幅は、ＥＩＴの１周期の時間の最大の時間に基づいて設定するものとしたが、そのような設定をすると当然ながら、その周期より短いＥＩＴ周期を有するネットワークも存在するため、時間に無駄が生ずる。このような場合にも、時間カウンタ２６の値をネットワーク数カウンタ２５の値によって修正することで、その無駄を省くことができる。
【００５１】
例えば、ネットワーク数２で、時計カウンタ２６の刻み幅を、ＥＩＴの最大周期６分に基づいて、設定した場合に、１つのネットワークについて情報取得を完了した実際の所要時間が３分であった場合について説明する。
時間カウンタ２６の値の更新状態を、図８に示す。図８（ａ）では、経過時間が１分から１２分まで示され、図８（ｂ）では、経過時間に対応して情報の取得進行状況が８％から９８％まで示されている。情報進行状況は、８％刻みで増加し、１２分で９６％になる。
【００５２】
ネットワーク数カウンタ２５の値の推移を図９に示す。図９（ａ）にネットワーク数が示され、図９（ｂ）にネットワーク数に対応して情報の取得進行状況が示されている。
この例の場合の、表示用カウンタ２７の値の推移を図１０に示す。図１０（ａ）は、経過時間を示し、図１０（ｂ）は経過時間に対応した情報取得進行状況を示す。図１０（ａ）において、３分と４分の間、及び６分経過後にネットワークの情報取得完了状態が到来することを示している。それぞれのタイミングで、情報取得進行状況が５０％と１００％になるようにネットワーク数カウンタ２５の値によって修正される。
【００５３】
この例においても、ネットワーク数カウンタ２５と時間カウンタ２６と表示用カウンタ２７を備え、図１０に示すように、時間カウンタ２６の値をネットワーク数カウンタ２５の値によって修正することで、番組情報取得状況を無駄なく、的確に分かり易く表示させることができるようになるものである。
【００５４】
なお、以上説明した時間カウンタ２６のカウント値の刻み幅は、説明した値に限定されるものではなく、完了見込み時間、およびネットワーク数に基づいて設定されるものである。
図１１は、ネットワーク毎の情報所得状況を表示した例を示すものであり、ネットワーク識別番号に対して、情報の取得が完了したものを○で示している。
また、図１２は、ネットワーク毎に情報を取得するか否かの設定を行なった結果を示している。○が付されたネットワークに対して情報を取得するように設定されている。この設定は、ユーザによって、入力手段１４を介してなされる。
この発明の、付加情報取得装置は、以上説明した形態に限定されるものではなく、その趣旨を変更しない範囲で種々実施可能である。
【００５５】
【発明の効果】
以上のように、本発明の付加情報取得装置は、複数のネットワークに跨る番組情報の取得状況を、確実に効率的に表示させることができるものである。
【図面の簡単な説明】
【図１】本発明に係る付加情報取得装置の一実施の形態を備えたテレビジョン受信機の回路構成図。
【図２】図１に示す装置の動作を説明するための構成図。
【図３】図１に示す装置の動作を説明するための構成図。
【図４】図１に示す装置の動作を説明するための構成図。
【図５】図１に示す装置の動作を説明するための構成図。
【図６】図１に示す装置の動作を説明するための構成図。
【図７】図１に示す装置の動作を説明するための構成図。
【図８】図１に示す装置の動作を説明するための構成図。
【図９】図１に示す装置の動作を説明するための構成図。
【図１０】図１に示す装置の動作を説明するための構成図。
【図１１】図１に示す装置の動作を説明するための構成図。
【図１２】図１に示す装置の動作を説明するための構成図。
【符号の説明】
１０…テレビジョン受信機
１１…アンテナ入力端子
１２…選局部
１３…制御部
１４…入力部
１５…復調部
１６…ＴＳデコーダ
１７…ＭＰＥＧ２デコーダ
１８…グラフィック重畳部
１９…映像信号処理部
２０…表示部
２１…番組情報取得部
２２…番組情報蓄積部
２３…絞込み抽出部
２４…表示メモリ
２５…ネットワーク数カウンタ
２６…時間カウンタ
２７…表示用カウンタ
【図１】
2005051311.tif 000003
【図２】
2005051311.tif 000004
【図３】
2005051311.tif 000005
【図４】
2005051311.tif 000006
【図５】
2005051311.tif 000007
【図６】
2005051311.tif 000008
【図７】
2005051311.tif 000009
【図８】
2005051311.tif 000010
【図９】
2005051311.tif 000011
【図１０】
2005051311.tif 000012
【図１１】
2005051311.tif 000013
【図１２】
2005051311.tif 000014